(57)【要約】【課題】多用途の表示機能を持たせることができるエッジ部材を提供すること。【解決手段】被装着体３に沿って添設される本体部１ａと、この本体部１ａの表面を覆うカバー部１ｂとを合成樹脂によって一体に形成してなり、本体部１ａを不透明の合成樹脂によって、カバー部１ｂを透明又は半透明の合成樹脂によって、それぞれ形成し、かつ、本体部１ａとカバー部１ｂとの間にエッジ部材１の長手方向に延びる空間部１４を形成し、この空間部１４に表示部材４を挿入する。【選択図】図１
2014113402.tif 000002
【特許請求の範囲】
【請求項１】
被装着体に沿って添設される本体部と、該本体部の表面を覆うカバー部とを合成樹脂によって一体に形成してなるエッジ部材において、前記本体部を不透明の合成樹脂によって、前記カバー部を透明又は半透明の合成樹脂によって、それぞれ形成し、かつ、前記本体部とカバー部との間にエッジ部材の長手方向に延びる空間部を形成し、該空間部に表示部材を挿入してなることを特徴とするエッジ部材。
【請求項２】
前記空間部が、エッジ部材の端縁に沿って形成されてなることを特徴とする請求項１記載のエッジ部材。
【請求項３】
前記カバー部が、前記本体部より前記空間部が形成された端縁側に膨出していることを特徴とする請求項２記載のエッジ部材。
【請求項４】
前記表示部材が、蓄光材料を含有してなることを特徴とする請求項１、２又は３記載のエッジ部材。
【発明の詳細な説明】
【技術分野】
【０００１】
本発明は、エッジ部材に関し、特に、テーブル等の家具、ドア等の建具、壁面等の建物内装等の被装着体に沿って配設されるエッジ部材に関するものである。
【背景技術】
【０００２】
従来、テーブルにおいては、主として外観をよくするために、天板の側端面に硬質の合成樹脂や金属によって形成されたエッジ部材が配設されている。
【０００３】
また、特殊な目的を持って、例えば、テーブルの安全性を高めることを目的として、図３に示すように、取付部１２をテーブル２の天板３の側端面３１に凹設したエッジ部材取付溝３１１に係合させることによって添設面１１を介して天板３の側端面３１に添設される厚肉なエッジ部材本体１ａＸと、このエッジ部材本体１ａＸから天板３の下面３ｂよりも低い位置に垂下させた内部に弾力性を調節するための中空部１４Ｘを有する緩衝部１３Ｘとを、軟質材若しくは半硬質材を用いて一体に形成して、テーブル２の天板３の側端面３１に取り付けるようにしたエッジ部材１Ｘが提案されている（特許文献１参照。）。
【先行技術文献】
【特許文献】
【０００４】
【特許文献１】特許第４９３１６９６号公報
【発明の概要】
【発明が解決しようとする課題】
【０００５】
ところで、従来のエッジ部材は、上記のとおり、外観や安全性（緩衝性）を高めることを目的として、テーブルの天板の側端面に配設されるものであるが、エッジ部材に多用途の表示機能を持たせるという技術思想は存在しなかった。
【０００６】
本発明は、上記従来のエッジ部材にはない、多用途の表示機能を持たせることができるエッジ部材を提供することを目的とする。
【課題を解決するための手段】
【０００７】
上記目的を達成するため、本発明のエッジ部材は、被装着体に沿って添設される本体部と、該本体部の表面を覆うカバー部とを合成樹脂によって一体に形成してなるエッジ部材において、前記本体部を不透明の合成樹脂によって、前記カバー部を透明又は半透明の合成樹脂によって、それぞれ形成し、かつ、前記本体部とカバー部との間にエッジ部材の長手方向に延びる空間部を形成し、該空間部に表示部材を挿入してなることを特徴とする。
【０００８】
この場合において、前記空間部が、エッジ部材の端縁に沿って形成されてなるようにすることができる。
【０００９】
また、前記カバー部を、前記本体部より前記空間部が形成された端縁側に膨出するように形成することができる。
【００１０】
また、前記表示部材に、蓄光材料を含有した表示部材を用いることができる。
【発明の効果】
【００１１】
本発明のエッジ部材によれば、本体部を不透明の合成樹脂によって、カバー部を透明又は半透明の合成樹脂によって、それぞれ形成し、かつ、本体部とカバー部との間にエッジ部材の長手方向に延びる空間部を形成し、該空間部に表示部材を挿入するようにすることにより、エッジ部材を、テーブル等の家具、ドア等の建具、壁面等の建物内装等の被装着体に沿って配設するに際して、空間部に挿入する表示部材の色を変えたり、表示部材に発光等の機能を持たせることによって、エッジ部材に種々の用途の表示機能を持たせることができる。
【００１２】
また、空間部が、エッジ部材の端縁に沿って形成されてなるようにすることにより、表示部材が見やすくなるとともに、エッジ部材に緩衝機能を持たせることができる。
【００１３】
また、前記カバー部が、前記本体部より前記空間部が形成された端縁側に膨出するように形成することにより、エッジ部材に高い緩衝機能を持たせることができるとともに、例えば、天板の上面に置いた物の落下防止機能を持たせることができる。
【００１４】
また、前記表示部材に、蓄光材料を含有した表示部材を用いることにより、突然の停電等の暗闇でエッジ部材及びその被装着体を認識することができ、衝突や衝突による転倒、怪我を防止することができる。また、暗闇での地震の際の１次避難場所等の場所や避難路の表示機能を持たせることができる。
【図面の簡単な説明】
【００１５】
【図１】本発明のエッジ部材の一実施例を示し、（ａ）は表示部材を挿入する前のエッジ部材の断面図、（ｂ）はエッジ部材の使用態様を示す断面斜視図である。
【図２】本発明のエッジ部材の変形実施例を示す、表示部材を挿入する前のエッジ部材の断面図である。
【図３】従来のエッジ部材を示し、（ａ）はエッジ部材の使用態様を示す斜視図、（ｂ）は同断面斜視図である。
【発明を実施するための形態】
【００１６】
以下、本発明のエッジ部材の実施の形態を、図面に基づいて説明する。
【００１７】
図１に、本発明のエッジ部材の一実施例を示す。
このエッジ部材１は、従来と同様、被装着体としてのテーブル２の天板３の側端面３１に沿って添設される本体部１ａと、この本体部１ａの表面を覆うカバー部１ｂとを合成樹脂によって一体に形成してなり、本体部１ａを不透明の合成樹脂によって、カバー部１ｂを透明又は半透明の合成樹脂によって、それぞれ形成し、かつ、本体部１ａとカバー部１ｂとの間にエッジ部材１の長手方向に延びる空間部１４を形成し、この空間部１４に表示部材４を挿入するようにしている。
【００１８】
この場合において、本体部１ａ及びカバー部を構成する合成樹脂には、ポリ塩化ビニル樹脂、ＡＢＳ樹脂、ポリオレフィン樹脂、ウレタン樹脂、ポリアミド樹脂等の各種合成樹脂を使用することができる。
この合成樹脂は、本体部１ａとカバー部１ｂとが、押出成形の際に一体に形成されるように、同種の合成樹脂を用いることが好ましいが、本体部１ａは、不透明の合成樹脂によって、カバー部１ｂは、透明又は半透明の合成樹脂によって、また、本体部１ａは、比較的硬質の合成樹脂によって、カバー部１ｂは、本体部１ａより軟質の合成樹脂によって、それぞれ形成するようにする。これにより、後述のとおり、エッジ部材１に緩衝機能を持たせることができる。
また、本体部１ａは、被装着体であるテーブル２の天板３の色に合わせて、適宜着色した合成樹脂によって、カバー部１ｂは、無色又は本体部１ａより薄い色に着色した合成樹脂によって、それぞれ形成することができる。これにより、天板３の側端面３１を隠すことができるとともに、天板３を多色展開できることと相俟って、テーブル２の意匠性を向上することができる。
【００１９】
また、空間部１４は、エッジ部材１の任意の箇所、例えば、エッジ部材１の全面に亘って形成することもできるが、本実施例においては、エッジ部材１の端縁（天板３の側端面３１に配設した場合の上端縁）に沿って形成するようにしている。
これにより、空間部１４に挿入した表示部材４が見やすくなるとともに、エッジ部材１に緩衝機能を持たせることができ、天板３の角部がＲ形状となり、手や腕の当接時の痛みを大幅に軽減することができる。
【００２０】
さらに、空間部１４をエッジ部材１の端縁（天板３の側端面３１に配設した場合の上端縁）に沿って形成する場合において、図１（ｂ）に示すように、カバー部１ｂが、本体部１ａより空間部１４が形成された端縁側に膨出するように形成する（本実施例においては、膨出部１３の膨出量Ｈを１〜２ｍｍ程度に形成するようにしている。）ことが好ましい。
これにより、エッジ部材１に高い緩衝機能を持たせることができるとともに、天板３の上面３ａに置いた物の落下防止機能を持たせることができる。
【００２１】
空間部１４に挿入する表示部材４は、テープ状、棒状、薄片状、チューブ状等、任意の形状のものを用いることができ、さらに必要に応じて、粘着剤等の固定手段を併用することができる。
表示部材４は、各種色に着色したものや発光等の機能を持ったものを使用することができる。これにより、エッジ部材１に種々の用途の表示機能を持たせることができる。
【００２２】
特に、表示部材４に、蓄光材料を含有した表示部材を用いることにより、突然の停電等の暗闇でエッジ部材１及びその被装着体であるテーブル２の天板３を認識することができ、衝突や衝突による転倒、怪我を防止することができる。また、暗闇での地震の際の１次避難場所としての表示機能を持たせることができる。
【００２３】
ところで、本実施例のエッジ部材１においては、エッジ部材１の本体部１ａの添設面１１に突設した取付部１２を、テーブル２の天板３の側端面３１に凹設したエッジ部材取付溝３１１に係合させることによって、エッジ部材１を、添設面１１を介して天板３の側端面３１に配設するようにしたが、図２に示す変形実施例のように、エッジ部材１を、添設面１１に配設した接着剤層又は粘着剤層５を介して、被装着体に沿って配設するようにすることもできる。
これにより、被装着体の対象範囲を、テーブル等の家具のほか、ドア等の建具、壁面等の建物内装等に拡大することができ、表示部材４に蓄光材料を含有した表示部材を用いることと併せて、突然の停電等の暗闇でエッジ部材１及びその被装着体を認識することができ、衝突や衝突による転倒、怪我を防止することができ、また、エッジ部材１に、暗闇での地震の際の１次避難場所等の場所や避難路の表示機能を持たせることができる。
【００２４】
以上、本発明のエッジ部材について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明のエッジ部材は、多用途の表示機能を持たせることができる特性を有していることから、テーブル等の家具、ドア等の建具、壁面等の建物内装等の種々の被装着体に沿って配設されるエッジ部材の用途に好適に用いることができる。
【符号の説明】
【００２６】
１    エッジ部材
１ａ  本体部
１ｂ  カバー部
１１  添設面
１２  取付部
１３  膨出部
１４  空間部
２    テーブル
３    天板（被装着体）
４    表示部材
５    接着剤層又は粘着剤層
【図１】
2014113402.tif 000003
【図２】
2014113402.tif 000004
【図３】
2014113402.tif 000005